(57)【要約】  本発明は貯蔵媒体の充填及び／又は放出手順の制御手段を有するチャージングステーションに関する。本発明において、チャージングステーションは貯蔵媒体を識別する手段を有する。本発明はさらに、貯蔵媒体の充填及び／又は放出手順の制御方法に関する。該方法は、充填及び／又は放出手順に関する情報をデータメモリに格納することを特徴とする。【特許請求の範囲】
【請求項１】
貯蔵媒体のローディング及び／又はアンローディングプロセスを制御する手段を備えるローディングステーションであって、
貯蔵媒体を識別する手段を有することを特徴とするローディングステーション。
【請求項２】
貯蔵媒体のデータメモリを読み取る手段を装備することを特徴とする請求項１に記載のローディングステーション。
【請求項３】
トランスポンダーを検出するための装置を備えることを特徴とする請求項１又は請求項２のいずれか一項に記載のローディングステーション。
【請求項４】
貯蔵媒体の充填状態をチェックするための手段を備えることを特徴とする請求項１から請求項３のいずれか一項に記載のローディングステーション。
【請求項５】
貯蔵媒体の充填状態に関する情報を格納するためのデータメモリを備えることを特徴とする請求項１から請求項４のいずれか一項に記載のローディングステーション。
【請求項６】
貯蔵媒体のローディング及び／又はアンローディングプロセスを制御するための方法であって、
ローディング及び／又はアンローディングプロセスに関する情報がデータメモリに格納されることを特徴とする方法。
【請求項７】
前記貯蔵媒体のデータメモリに前記情報が格納されることを特徴とする請求項６に記載の方法。
【請求項８】
ローディング及び／又はアンローディングプロセスに関する情報がローディングステーションのデータメモリに格納されることを特徴とする請求項６または請求項７に記載の方法。
【発明の詳細な説明】
【技術分野】
【０００１】
本発明は、ローディングステーションとその操作方法に関する。
【背景技術】
【０００２】
従来、車両に動力を供給する数多くのエネルギー源が知られている。
【０００３】
電気自動車用の自動貯蔵監視装置及びバッテリー交換システムが特許文献１によって知られている。
【０００４】
開示されたローディングステーションは、複数のバッテリーのローディング装置から構成される。それぞれのバッテリーは、識別用の識別コードを有している。さらに、バッテリーを識別するための読み取り装置が充電ステーション及び輸送用車両に配置される。
【先行技術文献】
【特許文献】
【０００５】
【特許文献１】ＥＰ０４７６４０５Ａ１
【発明の概要】
【発明が解決しようとする課題】
【０００６】
当該発明は、車両の望ましい操作状態のために望ましい充填レベルを備えている貯蔵媒体によって複数の車両に可能な限り柔軟かつ確実に供給することを可能にすることを目的とするものである。
【０００７】
特に、引用文献に記載の発明によれば、できるだけ完全に充填される貯蔵媒体をすばやく確実に車両に提供することが望ましい。
【発明の効果】
【０００８】
当該発明によれば、請求項１に記載のロードステーション及び請求項６に記載の方法によって目的は達成される。
【０００９】
明細書及び請求項から導き出される改良発明も当該発明に含まれるものである。
【発明を実施するための形態】
【００１０】
当該発明は、貯蔵媒体のローディング及び／又はアンローディングプロセスを制御するための手段を備えるローディングステーションからなる。
【００１１】
当該発明によれば、ローディングステーションは、貯蔵媒体を識別するための手段を備えるように構成される。
【００１２】
当該発明の改良は、貯蔵媒体のデータメモリを読み込むための手段を有するように構成されるローディングステーションを提供する。
【００１３】
当該発明の別実施形態は、トランスポンダーを検出するための装置を備えるローディングステーションを提供する。
【００１４】
当該発明の別実施形態は、貯蔵媒体の充填状態をチェックする手段を備える積載ステーションを提供する。
【００１５】
当該発明の別実施形態は、貯蔵媒体の充填状態に関する情報を格納するデータメモリを備えるローディングステーションを提供する。
【００１６】
当該発明は、さらに、貯蔵媒体、特に車両のためのエネルギー源として使用される貯蔵媒体に関係し、当該貯蔵媒体は、充填状態についての情報を格納するデータメモリを備える。
【００１７】
貯蔵媒体の改良は、データメモリが少なくとも一つの使用する場所に関する情報を格納することができることを特徴とする。
【００１８】
貯蔵媒体の一実施形態は、無線データ伝送のための手段に接続される。
【００１９】
貯蔵媒体の改良は、無線データ伝送のための手段はトランスポンダーであることを特徴とする。
【００２０】
貯蔵媒体の一実施形態は、認可されたデータ伝送装置のみによって情報をデータメモリに伝送されるように構成される認可装置を備える。
【００２１】
発明の別実施形態においては、貯蔵媒体はＳＩＭカードを含む。
【００２２】
当該発明は、ローディング及び／又はアンローディングプロセスを制御するとともに少なくとも１つの第一の貯蔵媒体と第二の貯蔵媒体との交換を制御するための手段を備えるローディングステーションを含む。当該発明においては、ローディングステーションは、車両及び／又は車両の所有者に第一の貯蔵媒体を関連付けるための手段を備える。
【００２３】
当該発明の改良は、第一の貯蔵媒体を関連付けるための手段が車両及び／又は車両の所有者を識別するための手段を有することを特徴とする。
【００２４】
当該発明の改良においては、車両及び／又は車両の所有者を識別するための手段車両のナンバープレートを検出するためのユニットを備える。
【００２５】
当該発明の別のローディングステーションの実施形態においては、カードリーダー、特にチップカード用のカードリーダーを備えていることを特徴とする。
【００２６】
当該発明におけるローディングステーションの改良は、トランスポンダーを検出するための装置を備える。
【００２７】
当該発明における別の実施形態においては、車両から第一の貯蔵媒体を取り外す手段を提供する。
【００２８】
当該発明の改良は、車両に更なる貯蔵手段を積載する手段を備えるローディングステーションを提供する。
【００２９】
当該発明における別の実施形態においては、第一の貯蔵媒体の充填状態を確認する手段を備えるローディングステーションを提供する。
【００３０】
当該発明の改良は、貯蔵媒体の充填状態についての情報を格納するデータメモリを備えるローディングステーションを提供する。
【００３１】
当該発明は、いくつかの貯蔵媒体を備えた車両の操作方法を提供する。
【００３２】
この方法は、少なくとも１つの貯蔵媒体のローディング及び／又はアンローディングが、貯蔵媒体の充填状態が予め定めることができる低い方の目標値未満となるように実行されることを特徴とする。
【００３３】
「貯蔵媒体」は、広い意味で理解される。特に、それは、例えばバッテリーのような電力源を含む。しかしながら、これらは、例えば車両の燃料のような他のエネルギー源でありうる。
【００３４】
さらに、「アンローディング」は、広い意味で理解される。特に、それは、貯蔵器、例えばタンクからのエネルギー源の移動だけでなく、貯蔵媒体としてはたらくバッテリーの取り出しを包含する。
【００３５】
当該発明の一実施形態は、貯蔵媒体が車両の外部に位置する充填装置で充填されるように低い方の目標値が選択されることを特徴とする。
【００３６】
当該発明の別の実施形態は、少なくとも一つの追加の貯蔵媒体ができるだけ高い充填状態になるように、該追加の貯蔵媒体のローディング及び／又はアンローディングが実行されることを特徴とする。
【００３７】
当該発明の別実施形態は、次のステップから構成される方法の実行を提供する。
【００３８】
積載物品の配達先住所の入力。
移動ルートの算出。
算出された移動ルートの詳細に関係する付加的な情報の取得。
ハイブリッド駆動に必要な動力条件の算出。
エネルギー消費及び／又は物流車両の排気を低減するための算出された移動ルートに沿った利用計画の決定。
【００３９】
当該発明による方法の実施形態のひとつにおいて、配達先住所は自動的に読み込まれる。改良発明では、これを非接触で行うことができる。この方法では、配達が特に効率的に行われる。
【００４０】
移動ルートの状況を、ハイブリッド駆動の利用計画の決定のために考慮にいれることが有利である。これは、例えば、車両が住宅地区を移動しているのか国道を移動しているかを区別することを含んでいる。実績は、多くの電気的なエネルギーが住宅地区内において使用されることを示している。
【００４１】
好ましくは、バッテリーの充電状態は、物流車両の予想された停車の機能として制御される。
【００４２】
当該発明の有利な実施形態において、移動ルートは、物流車両の各停止の後に再計算される。これは、動的なルートの立案であり、絶えず新しい計算に現状の状況を組み入れる。このように、最初の移動ルートの計算後に得られた交通状況に関する情報が更なるルート計画のために考慮されることが確実とされる。この処置はまた、時間を節約し、物流車両のエネルギー消費を低下させ、その排気を減少させる。
【００４３】
当該改良発明では、移動ルートの各変更の後にメッセージが受取人のもとへ送られることが有利である。該受取人は、荷物の受取人及び／又は物流サービス供給者の急送センターでありうる。しかし当該発明の実施形態の他の例では、もし移動ルートの変更が当初の移動時間の変更を招くなら、メッセージのみが受取人に送られる。
【００４４】
本発明の別の目的は、当該発明に係る方法の実行を可能とするように構成された物流車両を提供することである。
【００４５】
この目的は、請求項１０に係る物流車両によって達成される。
【００４６】
当該発明においては、ハイブリッド駆動装置及び検出層装置を備える車両（特に物流車両）が提案されている。検出装置は、積載された物品の配達先住所を自律的に取得するように構成される。さらに、情報を交換するためにハイブリッド駆動装置、検出装置及び航行衛星に接続されるテレマティクスシステムが提供される。
【００４７】
当該発明の一実施形態において、テレマティクスシステムは、検出装置から配達先住所を読み取り移動ルートを計算するように構成される。
【００４８】
検出装置は、ＲＦＩＤ読取装置を備えることが有利である。
【手続補正書】
【提出日】平成22年12月29日(2010.12.29)
【手続補正１】
【補正対象書類名】特許請求の範囲
【補正対象項目名】全文
【補正方法】変更
【補正の内容】
【特許請求の範囲】
【請求項１】
車両のエネルギー源として用いられる貯蔵媒体のローディング及び／又はアンローディングプロセスを制御するとともに貯蔵媒体を識別する手段を備えるローディングステーションであって、
貯蔵媒体が無線データ送信のためのトランスポンダーに接続されるとともに、ローディングステーションがトランスポンダーの検出装置を備えることを特徴とするローディングステーション。
【請求項２】
貯蔵媒体のデータメモリを読み取る手段を装備することを特徴とする、請求項１に記載のローディングステーション。
【請求項３】
貯蔵媒体の充填状態をチェックするための手段を備えることを特徴とする、請求項１又は請求項２のいずれか一項に記載のローディングステーション。
【請求項４】
貯蔵媒体の充填状態に関する情報を格納するためのデータメモリを備えることを特徴とする、請求項１から請求項３のいずれか一項に記載のローディングステーション。
【請求項５】
貯蔵媒体を車両及び／又は車両の所有者に関連付けるための手段を備えることを特徴とする、請求項１から請求項４のいずれか一項に記載の貯蔵媒体。
【請求項６】
車両のエネルギー源として用いられる貯蔵媒体であって、
貯蔵媒体の充填状態に関する情報を格納するためのデータメモリを備えるとともに、
無線データ送信のためのトランスポンダーに接続されることを特徴とする貯蔵媒体。
【請求項７】
認可されたデータ送信ユニットのみが情報をデータメモリに送信可能であるものとする認可ユニットを備えることを特徴とする、請求項６に記載の貯蔵媒体。
【請求項８】
ＳＩＭカードを備えることを特徴とする、請求項７に記載の貯蔵媒体。
【請求項９】
車両のエネルギー源として用いられる貯蔵媒体のローディング及び／又はアンローディングプロセスを制御するとともに、ローディング及び／又はアンローディングプロセスに関する情報をデータメモリに格納する方法であって、
貯蔵媒体に接続されるトランスポンダーからローディングステーションに配置されるトランスポンダーの検出装置への無線データ通信を行うことを特徴とする方法。
【請求項１０】
情報を貯蔵媒体のデータメモリに格納することを特徴とする、請求項９に記載の方法。
【請求項１１】
ローディング及び／又はアンローディングプロセスに関する情報を貯蔵媒体のデータメモリに格納することを特徴とする、請求項９または１０に記載の方法。
【国際調査報告】
2012514448.tif 000002
2012514448.tif 000003
2012514448.tif 000004
2012514448.tif 000005